(57)【要約】【課題】再送信時の伝送エラーを低減すると共に、更に誤り訂正の効率を高めることができる再送制御方法等を提供する。【解決手段】送信装置は、同一のデータについて、送信回数が奇数である場合、第１の符号化率の符号データを生成し、送信回数が偶数である場合、第２の符号化率の符号データを生成する。送信装置は、符号データを、再送信する際に、先に送信した変調方式よりも低速な変調方式を用いて変調する。受信装置は、第１の符号データ及び第２の符号データを合成して誤り訂正をする。第１の符号化率の符号データは、特定部分のビットを送信しないようにマスクした第１のパンクチャ符号データであり、第２の符号化率の符号データは、特定部分のビットのみを送信するようにマスクした第２のパンクチャ符号データである。【選択図】図１
2007312156.tif 000002
【特許請求の範囲】
【請求項１】
送信装置と受信装置との間における誤り訂正符号データの再送制御方法において、
前記送信装置が、同一のデータについて、送信回数が奇数である場合、第１の符号化率の第１の符号データを生成し、送信回数が偶数である場合、第２の符号化率の第２の符号データを生成する第１のステップと、
前記送信装置が、先に送信した変調方式よりも低速な変調方式を用いて変調する第２のステップと、
前記受信装置が、２度に渡って受信した第１の符号データ同士若しくは第２の符号データ同士を合成して、及び／又は、第１の符号データ及び第２の符号データを組み合わせて、誤り訂正をする第３のステップと
を有することを特徴とする再送制御方法。
【請求項２】
第１のステップについて、第１の符号データは、特定部分のビットを送信しないようにマスクする第１のパンクチャパターンを通した第１のパンクチャ符号データであり、第２の符号データは、前記特定部分のビットのみを送信するようにマスクする第２のパンクチャパターンを通した第２のパンクチャ符号データであることを特徴とする請求項１に記載の再送制御方法。
【請求項３】
第３のステップについて、前記受信装置が、同一の符号データとなるｎ回目送信データに第１の重み（ｗ１≦０．５）を付け、ｎ＋２回目送信データに、第１の重みよりも重い第２の重み（ｗ２≧０．５）を付けて合成して、誤り訂正をすることを特徴とする請求項１又は２に記載の再送制御方法。
【請求項４】
誤り訂正符号データの再送制御をする無線装置において、
符号化率に基づいて、誤り訂正符号データを生成する符号化手段と、
変調方式に基づいて、前記符号データを変調する変調手段と、
同一のデータについて、送信回数が奇数である場合、第１の符号化率の第１の符号データを生成し、送信回数が偶数である場合、第２の符号化率の第２の符号データを生成するように、前記符号化手段の前記符号化率を制御する符号化率制御手段と、
前記符号データを、先に送信した変調方式よりも低速な変調方式を用いて変調するように、前記変調手段の前記変調方式を制御する変調方式制御手段と
を有することを特徴とする無線装置。
【請求項５】
送信データを保持し、前記符号化手段へ前記送信データを再送信する再送制御手段と、
前記送信データに対して、相手方無線装置から否定確認応答ＮＡＣＫの受信を検出した際に、その旨を前記符号化率制御手段、前記変調方式制御手段、及び前記再送制御手段へ通知する送信データ応答検出手段と
を有することを特徴とする請求項４に記載の無線装置。
【請求項６】
受信した変調信号を復調する復調手段と、
復調された符号データを復号して、誤り訂正をする復号手段と、
復号された受信データの誤りを検出し、誤りを検出した際に、否定確認応答ＮＡＣＫを返信する誤り検出手段と、
誤りを検出した際に、その受信データを、次の再送受信の誤り訂正のために保持する受信データ保持手段と
を有しており、
前記復号手段は、前記受信データ保持手段から取得する先に受信した符号データと、現に受信した符号データとを合成し及び／又は組み合わせて誤り訂正をする
ことを特徴とする請求項４又は５に記載の無線装置。
【請求項７】
前記復号手段は、同一の符号データとなるｎ回目送信データに第１の重み（ｗ１≦０．５）を付け、ｎ＋２回目送信データに、第１の重みよりも重い第２の重み（ｗ２≧０．５）を付けて合成して、誤り訂正をすることを特徴とする請求項６に記載の無線装置。
【請求項８】
適応的な誤り制御のために、誤り訂正可能なデータを送受信する無線装置に搭載されたコンピュータを機能させるプログラムにおいて、
符号化率に基づいて、誤り訂正符号データを生成する符号化手段と、
変調方式に基づいて、前記符号データを変調する変調手段と、
同一のデータについて、送信回数が奇数である場合、第１の符号化率の第１の符号データを生成し、送信回数が偶数である場合、第２の符号化率の第２の符号データを生成するように、前記符号化手段の前記符号化率を制御する符号化率制御手段と、
前記符号データを、先に送信した変調方式よりも低速な変調方式を用いて変調するように、前記変調手段の前記変調方式を制御する変調方式制御手段と
してコンピュータを機能させることを特徴とする無線装置用のプログラム。
【請求項９】
送信データを保持し、前記符号化手段へ前記送信データを再送信する再送制御手段と、
前記送信データに対して、相手方無線装置から否定確認応答ＮＡＣＫの受信を検出した際に、その旨を前記符号化率制御手段、前記変調方式制御手段、及び前記再送制御手段へ通知する送信データ応答検出手段と
してコンピュータを更に機能させることを特徴とする請求項８に記載の無線装置用のプログラム。
【請求項１０】
受信した変調信号を復調する復調手段と、
復調された符号データを復号して、誤り訂正をする復号手段と、
復号された受信データの誤りを検出し、誤りを検出した際に、否定確認応答ＮＡＣＫを返信する誤り検出手段と、
誤りを検出した際に、その受信データを、次の再送受信の誤り訂正のために保持する受信データ保持手段と
を有しており、
前記復号手段は、前記受信データ保持手段から取得する先に受信した符号データと、現に受信した符号データとを合成し及び／又は組み合わせて誤り訂正をする
ようにコンピュータを機能させることを特徴とする請求項８又は９に記載の無線装置用のプログラム。
【請求項１１】
前記復号手段は、同一の符号データとなるｎ回目送信データに第１の重み（ｗ１≦０．５）を付け、ｎ＋２回目送信データに、第１の重みよりも重い第２の重み（ｗ２≧０．５）を付けて合成して誤り訂正をするようにコンピュータを機能させることを特徴とする請求項１０に記載の無線装置用のプログラム。
【発明の詳細な説明】
【技術分野】
【０００１】
本発明は、誤り訂正符号データの再送制御方法、無線装置及びプログラムに関する。
【背景技術】
【０００２】
無線通信の技術分野では、高品質な伝送を実現するために、等化やダイバーシチ等では回復することができなかった誤りを訂正する誤り制御技術が用いられている。このような誤り制御技術としては、自動再送要求（ＡＲＱ：Automatic Repeat Request）と、前方誤り訂正（ＦＥＣ：Forward Error Correction）との２つに分けられる。
【０００３】
ＡＲＱによれば、受信装置は、受信データに誤りが検出された場合、再送信を要求するための否定確認応答（ＮＡＣＫ：Negative Acknowledgement）を送信装置へ返信する。これに対し、送信装置は、同一のデータを再送信する。再送信を繰り返すことは、伝送遅延が大きくなることにつながる。特に、伝送品質が悪い場合には、データの誤り率が高くなり、再送回数が増えて伝送遅延が大きくなり、スループットの低下につながる。
【０００４】
一方、ＦＥＣによれば、送信装置は、受信装置において誤り訂正ができるように、予め冗長データを含めた誤り訂正符号データを送信する。冗長データを付加するために、伝送されるデータ量は、送信すべき原データよりも多くなる。
【０００５】
無線ＬＡＮの規格であるＩＥＥＥ８０２．１１ａや、ＨＳＤＰＡ(High Speed Downlink Packet Access)などでは、ＦＥＣとＡＲＱとを組み合わせた方式（ＨＡＲＱ:Hybrid ARQ）が採用されている。ＨＡＲＱは、伝送品質に応じて再送の繰り返し回数を極力減らし、安定したスループットを実現しようとする。
【０００６】
従来技術によれば、データを再送信する際に、低速の変調方式に変更して送信することにより、再送信時の伝送エラーを低減しようとするものがある（例えば特許文献１参照）。
【特許文献１】特開２００４−１４７０６８号公報
【発明の開示】
【発明が解決しようとする課題】
【０００７】
本発明は、再送信時の伝送エラーを低減すると共に、更に誤り訂正の効率を高めることができる再送制御方法、無線装置及びプログラムを提供することを目的とする。
【課題を解決するための手段】
【０００８】
本発明によれば、送信装置と受信装置との間における誤り訂正符号データの再送制御方法において、
送信装置が、同一のデータについて、送信回数が奇数である場合、第１の符号化率の第１の符号データを生成し、送信回数が偶数である場合、第２の符号化率の第２の符号データを生成する第１のステップと、
送信装置が、先に送信した変調方式よりも低速な変調方式を用いて変調する第２のステップと、
前記受信装置が、２度に渡って受信した第１の符号データ同士若しくは第２の符号データ同士を合成して、及び／又は、第１の符号データ及び第２の符号データを組み合わせて、誤り訂正をする第３のステップと
を有することを特徴とする。
【０００９】
本発明の再送制御方法における他の実施形態によれば、
第１のステップについて、第１の符号データは、特定部分のビットを送信しないようにマスクする第１のパンクチャパターンを通した第１のパンクチャ符号データであり、第２の符号データは、特定部分のビットのみを送信するようにマスクする第２のパンクチャパターンを通した第２のパンクチャ符号データであることも好ましい。
【００１０】
本発明の再送制御方法における他の実施形態によれば、
第３のステップについて、受信装置が、同一の符号データとなるｎ回目送信データに第１の重み（ｗ１≦０．５）を付け、ｎ＋２回目送信データに、第１の重みよりも重い第２の重み（ｗ２≧０．５）を付けて合成して、誤り訂正をすることも好ましい。
【００１１】
本発明によれば、誤り訂正符号データの再送制御をする無線装置において、
符号化率に基づいて、誤り訂正符号データを生成する符号化手段と、
変調方式に基づいて、符号データを変調する変調手段と、
同一のデータについて、送信回数が奇数である場合、第１の符号化率の第１の符号データを生成し、送信回数が偶数である場合、第２の符号化率の第２の符号データを生成するように、符号化手段の符号化率を制御する符号化率制御手段と、
符号データを、先に送信した変調方式よりも低速な変調方式を用いて変調するように、変調手段の変調方式を制御する変調方式制御手段と
を有することを特徴とする。
【００１２】
本発明の無線装置における他の実施形態によれば、
送信データを保持し、符号化手段へ送信データを再送信する再送制御手段と、
送信データに対して、相手方無線装置から否定確認応答ＮＡＣＫの受信を検出した際に、その旨を符号化率制御手段、変調方式制御手段、及び再送制御手段へ通知する送信データ応答検出手段と
を有することも好ましい。
【００１３】
本発明の無線装置における他の実施形態によれば、
受信した変調信号を復調する復調手段と、
復調された符号データを復号して、誤り訂正をする復号手段と、
復号された受信データの誤りを検出し、誤りを検出した際に、否定確認応答ＮＡＣＫを返信する誤り検出手段と、
誤りを検出した際に、その受信データを、次の再送受信の誤り訂正のために保持する受信データ保持手段と
を有しており、
復号手段は、受信データ保持手段から取得する先に受信した符号データと、現に受信した符号データとを合成し及び／又は組み合わせて、誤り訂正をする
ことも好ましい。
【００１４】
本発明の無線装置における他の実施形態によれば、
復号手段は、同一の符号データとなるｎ回目送信データに第１の重み（ｗ１≦０．５）を付け、ｎ＋２回目送信データに、第１の重みよりも重い第２の重み（ｗ２≧０．５）を付けて合成して、誤り訂正をすることも好ましい。
【００１５】
本発明によれば、適応的な誤り制御のために、誤り訂正可能なデータを送受信する無線装置に搭載されたコンピュータを機能させるプログラムにおいて、
符号化率に基づいて、誤り訂正符号データを生成する符号化手段と、
変調方式に基づいて、符号データを変調する変調手段と、
同一のデータについて、送信回数が奇数である場合、第１の符号化率の第１の符号データを生成し、送信回数が偶数である場合、第２の符号化率の第２の符号データを生成するように、符号化手段の符号化率を制御する符号化率制御手段と、
符号データを、先に送信した変調方式よりも低速な変調方式を用いて変調するように、変調手段の変調方式を制御する変調方式制御手段と
してコンピュータを機能させることを特徴とする。
【００１６】
本発明のプログラムにおける他の実施形態によれば、
送信データを保持し、符号化手段へ送信データを再送信する再送制御手段と、
送信データに対して、相手方無線装置から否定確認応答ＮＡＣＫの受信を検出した際に、その旨を符号化率制御手段、変調方式制御手段、及び再送制御手段へ通知する送信データ応答検出手段と
してコンピュータを更に機能させることも好ましい。
【００１７】
本発明のプログラムにおける他の実施形態によれば、
受信した変調信号を復調する復調手段と、
復調された符号データを復号して、誤り訂正をする復号手段と、
復号された受信データの誤りを検出し、誤りを検出した際に、否定確認応答ＮＡＣＫを返信する誤り検出手段と、
誤りを検出した際に、その受信データを、次の再送受信の誤り訂正のために保持する受信データ保持手段と
を有しており、
復号手段は、受信データ保持手段から取得する先に受信した符号データと、現に受信した符号データとを合成し及び／又は組み合わせて、誤り訂正をする
ようにコンピュータを機能させることも好ましい。
【００１８】
本発明のプログラムにおける他の実施形態によれば、
復号手段は、同一の符号データとなるｎ回目送信データに第１の重み（ｗ１≦０．５）を付け、ｎ＋２回目送信データに、第１の重みよりも重い第２の重み（ｗ２≧０．５）を付けて合成して、誤り訂正をするようにコンピュータを機能させることも好ましい。
【発明の効果】
【００１９】
本発明の再送制御方法、無線装置及びプログラムによれば、再送信時の伝送エラーを低減すると共に、更に誤り訂正の効率を高めることができる。
【発明を実施するための最良の形態】
【００２０】
以下では、図面を用いて、本発明を実施するための最良の形態について詳細に説明する。
【００２１】
表１は、ＩＥＥＥ８０２．１１ａで採用されている変調方式と符号化率の組み合わせを表す。
【表１】
2007312156.tif 000003
【００２２】
表２は、本発明における再送信毎の符号化率の切り替えを表す。
【表２】
2007312156.tif 000004
【００２３】
表２によれば、奇数回送信データは第１の符号化率を用い、偶数回送信データは第２の符号化率を用いる。符号化率(coding rate)とは、符号器(encoder)へ入力されたオリジナル情報と、その符号器から出力された符号化情報との比をいう。符号化率＝２／３及び３／４は、パンクチャパターンによって実現されている。
【００２４】
表２によれば、符号化率３／４の符号データと、符号化率３／２の符号データとが、再送信を繰り返す毎に交互に受信される。即ち、特定部分のビットを送信しないようにマスクする第１のパンクチャパターンを通した第１の符号データと、特定部分のビットのみを送信するようにマスクする第２のパンクチャパターンを通した第２の符号データとが交互に受信される。受信装置は、第１の符号データにおける消失ビット列の部分に、第２の符号データを挿入することによって、符号率１／２の符号データを受信したことになる。
【００２５】
表３は、本発明における再送信毎の変調方式の切り替えを表す。
【表３】
2007312156.tif 000005
【００２６】
表３によれば、先に送信した変調方式よりも低速な変調方式を用いて変調する。従って、再送信を繰り返す毎に、高速の変調方式から低速の変調方式へ切り替えられていく。変調方式には、６４ＱＡＭ（64-Quadrature Amplitude Modulation：６４値直交振幅変調）、１６ＱＡＭ（16-Quadrature Amplitude Modulation：１６値直交振幅変調）、ＱＰＳＫ（Quadrature Phase Shift Keying：４相位相変調）、ＢＰＳＫ（Binary Phase Shift Keying：２相位相変調）がある。受信装置は、この変調方式の変更パターンを予め把握しているために、データが再送信される毎に適応的に変調方式を切り替えることができる。
【００２７】
表４は、同じ符号化率の受信データを合成する際の重みｗを表す。
【表４】
2007312156.tif 000006
【００２８】
表２からも明らかなとおり、ｎ回送信データとｎ＋２回送信データとは同じ符号化率の符号データである。また、表３からも明らかなとおり、ｎ回送信データの変調方式よりも、ｎ＋２回送信データの変調方式の方が低速であって、エラー耐性も高いものである。そこで、表４によれば、ｎ回送信データにはｗ≦０．５の重みを付け、ｎ＋２回送信データにはｗ≧０．５の重みを付けて、合成するようにする。これにより、エラー耐性の高い変調方式で受信されたデータ列が、高い確率で反映されることとなる。
【００２９】
図１は、本発明における第１のシーケンス図である。
【００３０】
（Ｓ１０１）送信装置は、最初に、伝送品質に応じて、最適な符号化率及び変調方式を選択する。図１によれば、例えば、変調方式６４ＱＡＭ及び符号化率３／４が、選択されたとする。送信装置は、送信データを、第１の符号化率３／４でパンクチャ符号化し、第１の変調方式６４ＱＡＭで変調する。変調信号は、１回目送信データとして、受信装置へ送信される。
【００３１】
（Ｓ１０２）受信装置は、受信した１回目送信データを復調し、パンクチャ符号化によって消失しているビット列にダミービットを挿入して復号する。ここでは、受信データの誤りを検出し且つ誤り訂正ができなかったとする。受信装置は、誤り検出された受信データを保持し、送信装置へ否定確認応答ＮＡＣＫを返信する。
【００３２】
（Ｓ１０３）送信装置は、ＮＡＣＫを受信すると、同じデータを再送信するために、第２の符号化率３／２でパンクチャ符号化し、第２の変調方式１６ＱＡＭで変調する（表２及び表３を参照）。第２の符号化率３／２の符号データは、第１の符号化率３／４によって送信されなかった消失ビット列のデータである。また、第２の変調方式１６ＱＡＭは、第１の変調方式６４ＱＡＭよりも低速な変調方式である。送信装置は、変調された２回目送信データを、受信装置へ送信する。
【００３３】
（Ｓ１０４）受信装置は、受信した２回目送信データを復調し、先に保持した１回目送信データの消失ビット列の部分に、２回目送信データを挿入して復号する。ここでも、受信データの誤りを検出し且つ誤り訂正ができなかったとする。受信装置は、誤り検出された受信データを保持し、送信装置へＮＡＣＫを返信する。
【００３４】
（Ｓ１０５）送信装置は、ＮＡＣＫを受信すると、同じデータを再送信するために、第１の符号化率３／４でパンクチャ符号化し、第３の変調方式ＱＰＳＫで変調する（表２及び表３を参照）。第１の符号化率３／４の符号データは、１回目送信データと同じである。また、第３の変調方式ＱＰＳＫは、第２の変調方式１６ＱＡＭよりも低速な変調方式である。送信装置は、変調された３回目送信データを、受信装置へ送信する。
【００３５】
（Ｓ１０６）受信装置は、受信した３回目送信データを復調し、その３回目送信データと、先に保持した１回目送信データとに重みを付けて合成する。更に、その合成したデータに２回目送信データを挿入して復号する。ここで、１回目送信データと３回目送信データとは、同一の符号化率であるので、同じデータである。但し、１回目送信データは第１の変調方式６４ＱＡＭであり、３回目送信データは第３の変調方式ＱＰＳＫである。データの誤り耐性としては、６４ＱＡＭよりもＱＰＳＫの方が高い。従って、重みｗ１≦０．５を重み付けした１回目送信データと、重みｗ３≧０．５を重み付けした３回目送信データとを合成する。尚、ここでも、受信データの誤りを検出し且つ誤り訂正ができなかったとする。受信装置は、誤り検出された受信データを保持し、送信装置へＮＡＣＫを返信する。
【００３６】
（Ｓ１０７）送信装置は、ＮＡＣＫを受信すると、同じデータを再送信するために、第２の符号化率３／２でパンクチャ符号化し、第４の変調方式ＢＰＳＫで変調する（表２及び表３を参照）。第１の符号化率３／２の符号データは、２回目送信データと同じである。また、第４の変調方式ＢＰＳＫは、第３の変調方式ＱＰＳＫよりも低速な変調方式である。送信装置は、変調された４回目送信データを、受信装置へ送信する。
【００３７】
（Ｓ１０８）受信装置は、受信した４回目送信データを復調し、その４回目送信データと、先に保持した２回目送信データに重みを付けて合成する。更に、その合成したデータに、先の１回目送信データと３回目送信データとを合成したデータを挿入して復号する。ここで、２回目送信データと４回目送信データとは、同一の符号化率であるので、同じデータである。但し、２回目送信データは第２の変調方式１６ＱＡＭであり、４回目送信データは第４の変調方式ＢＰＳＫである。データの誤り耐性としては、１６ＱＡＭよりもＢＰＳＫの方が高い。従って、重みｗ２≦０．５を重み付けした２回目送信データと、重みｗ４≧０．５を重み付けした４回目送信データとを合成する。尚、ここでも、受信データの誤りを検出し且つ誤り訂正ができなかった場合、受信装置は、誤り検出された受信データを保持し、送信装置へＮＡＣＫを返信する。
【００３８】
図２は、本発明における第２のシーケンス図である。
【００３９】
図２によれば、図１と比較して、最初に、変調方式１６ＱＡＭ、符号化率２／３が選択されている点が相違する。最も低速の変調方式であるＢＰＳＫによって変調された後は、符号化率のみが再送信毎に交互に変更される。
【００４０】
図３は、本発明における第３のシーケンス図である。
【００４１】
図３によれば、第１と比較して、最初に、変調方式ＱＰＳＫ、符号化率１／２が選択されている点が相違する。この場合、符号化率１／２であるので、パンクチャ符号化はなされない。従って、変調方式のみが再送信毎に変更されるのみである。
【００４２】
図４は、本発明における無線装置の機能構成図である。
【００４３】
図４によれば、無線装置１は、畳み込み符号化部１０１と、パンクチャ符号化部１０２と、符号化率制御部１０３と、変調部１０４と、変調方式制御部１０５と、復調部１０６と、復号部１０７と、受信データ誤り検出部１０８と、送信データ応答検出部１０９と、受信データ保持部１１０とを有する。これら機能部は、無線装置１に搭載されたコンピュータによって実行されるプログラムによっても実現できる。
【００４４】
畳み込み符号化部１０１によって畳み込み符号化された送信データは、パンクチャ符号化部１０２へ入力される。パンクチャ符号化部１０２は、特定部分のビットを送信しないようにマスクするパンクチャパターンを通したパンクチャ符号データを生成する。パンクチャ符号化をすることにより、基準となる符号化率よりも高い符号化率を実現することができる。畳み込み符号化部１０１及びパンクチャ符号化部１０２は、符号化率制御部１０３から通知される符号化率によって制御される。パンクチャ符号化部１０２は、誤り訂正符号データを、変調部１０４へ出力する。
【００４５】
符号化率制御部１０３は、同一のデータについて、送信回数が奇数である場合、第１の符号化率の符号データを生成し、送信回数が偶数である場合、第２の符号化率の符号データを生成するように、畳み込み符号化部１０１及びパンクチャ符号化部１０２を制御する。符号化率制御部１０３は、表２のテーブルを備え、送信回数に応じて符号化率を制御する。
【００４６】
変調部１０４は、パンクチャ符号化部１０２から符号データを受け取り、変調方式制御部１０５から通知される変調方式に基づいて、符号データに変調処理をする。変調された送信データはアンテナから無線を介して送信される。
【００４７】
変調方式制御部１０５は、１回目送信データは、伝送品質に応じて適応的に選択した変調方式を用いる。その後、送信装置が、ＮＡＣＫを受信し、同じデータを再送信する場合、先に送信した変調方式よりも低速な変調方式を用いて変調するように変調部１０４を制御する。変調方式制御部１０５は、表３のテーブルを備え、送信回数に応じて変調方式を制御する。
【００４８】
復調部１０６は、アンテナによって受信された変調信号を復調する。復調された受信データは、復号部１０７によって復号される。復号部１０７は、先に受信した符号データを受信データ保持部１１０から取得し、現に受信した符号データと合成して、誤り訂正をする。また、復号部１０７は、同一の符号データとなるｎ回目送信データに第１の重み（ｗ１≦０．５）を付け、ｎ＋２回目送信データに、第１の重みよりも重い第２の重み（ｗ２≧０．５）を付けて合成して、誤り訂正をする。高速の変調方式には小さく重み付け、低速の変調方式には大きく重み付ける。
【００４９】
受信データ誤り検出部１０８は、当該無線装置１が、受信装置となった場合に必要となる。相手方送信装置から受信したデータに対して、誤りを検出する。誤りが検出された場合、ＮＡＣＫを相手方送信装置へ送信するように、畳み込み符号化部１０１へ通知する。畳み込み符号化部１０１は、ＮＡＣＫのデータを、相手方送信装置へ送信する。
【００５０】
送信データ応答検出部１０９は、当該無線装置１が、送信装置となった場合に必要となる。先に送信した送信データに対して、相手方受信装置からＮＡＣＫを受信したか否かを検出する。ＮＡＣＫを受信した場合、送信データ応答検出部１０９は、その旨を、符号化率制御部１０３と、変調方式制御部１０５と、再送制御部１１０とに通知する。
【００５１】
再送制御部１１０は、送信データを保持しており、ＮＡＣＫを受信した際に、送信データを畳み込み符号化部１０１へ出力し、再送信する。
【００５２】
受信データ保持部１１０は、受信データ誤り検出部１０８が、受信データの誤りを検出した場合、その受信データを保持する。保持された受信データは、復号部１０７へ通知され、次に再送信された受信データの復号に用いられる。
【００５３】
以上、詳細に説明したように、本発明の再送制御方法、無線装置及びプログラムによれば、再送信時の伝送エラーを低減すると共に、更に誤り訂正の効率を高めることができる。
【００５４】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００５５】
【図１】本発明における第１のシーケンス図である。
【図２】本発明における第２のシーケンス図である。
【図３】本発明における第３のシーケンス図である。
【図４】本発明における無線装置の機能構成図である。
【符号の説明】
【００５６】
１  無線装置
１０１  畳み込み符号化部
１０２  パンクチャ符号化部
１０３  符号化率制御部
１０４  変調部
１０５  変調方式制御部
１０６  復調部
１０７  復号部
１０８  受信データ誤り検出部
１０９  送信データ応答検出部
１１０  受信データ保持部
【図１】
2007312156.tif 000007
【図２】
2007312156.tif 000008
【図３】
2007312156.tif 000009
【図４】
2007312156.tif 000010